(57)【要約】【課題】ＣＤ・ＤＶＤ・ＭＤなどのような記録媒体を収納するケースで、薄型のものは、薄すぎて、視認性のよい背面タイトルを貼付できなかい、あるいは、背面タイトルの着脱、交換が容易でなかった。また、金型の製作などに困難があった。【解決手段】ＣＤ、ＤＶＤ、ＭＤなどの記録媒体を収納するトレイ１とこれに対面してその一端を開閉自在に蝶番結合した透明なカバー２の端部を、上下に亘って、ケースの表面側から裏面側への回り込みが起きる手前までの範囲で、凸状の曲面２ａに形成し、その上下の端部に曲面２ａの内側面に対向し，内側面との間にタイトル用紙３が挿入できる間隔４を持った突起５を設け、この曲面の端部の内側面に、ほぼ同じ長さの背面タイトルを端部に表示した背面タイトル用紙３を沿わせて装着する。  金型の製作が容易になり、背面タイトルの視認性とともに、背面タイトル用紙の付けはずしの簡便性も高まる。【選択図】図１
0003127601.tif 000002
【実用新案登録請求の範囲】
【請求項１】
ＣＤ、ＤＶＤ、ＭＤなどの記録媒体を収納するケースにおいて、
ＣＤ、ＤＶＤ、ＭＤなどの記録媒体を収納するトレイ１と、
これに対面してその一端を開閉自在に蝶番結合した透明なカバー２とより成り、
しかも、そのカバーの一方の端部を、上下に亘って、ケースの表面側から裏面側への回り込みが起きる手前までの範囲で、凸状の曲面２ａに形成し、
その上下の端部に、上記の曲面２ａの内側面に対向し，内側面との間にタイトル用紙３が挿入できる間隔４を持った突起５を設け
この曲面の端部の内側面に、ほぼ同じ長さの背面タイトルを端部に表示したタイトル用紙３を沿わせて装着したことを特徴としたＣＤ、ＤＶＤ、ＭＤなどの記録媒体を収納するケース
【考案の詳細な説明】
【技術分野】
【０００１】
本考案は、ＣＤ、ＤＶＤ、ＭＤなどのような記録媒体を収納するケースに関するものである。
【背景技術】
【０００２】
従来のＣＤケースより薄型のケースが出回り、省スペースで、たくさん並べて置けるようになった。しかし、薄いために、従来のように、背面のタイトルを見て選び出すということが出来なくなってしまっていた。光ディスク用の厚さ５ｍｍの薄型収納ケースに形状変更を加えずに、背面タイトルを表示する工夫も考案されていた。
【特許文献１】特開２００３−２３７８７１号公報
【０００３】
また、私自身の発明であるが、ケースの背面部分を上下に亘って凸状の曲面に形成することで表示面積を大きくし、視認性を高める
工夫もあった。
【特許文献２】特開２００６−０８９０６４号公報
【０００４】
さらに、私自身の考案であるが、この曲面の端部の内側面に背面タイトル用紙を沿わせて装着した工夫もあった。
【特許文献３】登録実用新案第３１１８１７７号
【考案の開示】
【考案が解決しようとする課題】
【０００５】
しかし、表示面積を大きくするために、背面部分の曲面の形状をケースの表面側から裏面側までに回り込む形にしていたために、金型の製作や、金型からの取り出しが困難であった。
【０００６】
さらに、背面タイトル用紙を曲面の内側面に沿わせるために軸を設けるなど、トレイ側にも変更を加え、新たな金型の製作が必要であった。
【０００７】
また、背面タイトル用紙が、曲面の内側面と軸にはさまれて摩耗しないように隙間を設けるなども必要であった。
【課題を解決するための手段】
【０００８】
ＣＤ、ＤＶＤ、ＭＤなどの記録媒体を収納するトレイ１とこれに対面してその一端を開閉自在に蝶番結合した透明なカバー２とより成り、しかも、そのカバーの一方の端部を、上下に亘って、ケースの表面側から裏面側への回り込みが起きる手前までの範囲で、凸状の曲面２ａに形成し、その上下の端部に、上記の曲面２ａの内側面に対向し，内側面との間にタイトル用紙３が挿入できる間隔４を持った突起５を設け、この曲面の端部の内側面に、ほぼ同じ長さの背面タイトルを端部に表示したタイトル用紙３を沿わせて装着した。
【考案の効果】
【０００９】
（１）背面部分の曲面の回り込みがないために、金型の製作が容易であり、金型からの取り出しも容易である。
（２）トレイは従来のまま利用でき、カバー側の金型を変更するだけで生産可能で、生産のための初期投資を少なくできる。
（３）背面タイトル用紙をカバーに簡単に着脱できるようになる。
【考案を実施するための最良の形態】
【００１０】
本考案の実施例を図面に基づいて説明する。
【実施例１】
【００１１】
図１に示すように、ＣＤ、ＤＶＤ、ＭＤなどの記録媒体を収納するトレイ１とこれに対面してその一端を開閉自在に蝶番結合した透明なカバー２の端部を、上下に亘って、ケースの表面側から裏面側への回り込みが起きる手前までの範囲で、凸状の曲面２ａに形成し、その上下の端部に、上記の曲面２ａの内側面に対向し，内側面との間にタイトル用紙３が挿入できる間隔４を持った突起５を設けて、この曲面の端部の内側面に、ほぼ同じ長さの背面タイトルを端部に表示した背面タイトル用紙３を沿わせて装着した。
【００１２】
図２、図３に示すように、端部に曲面２ａの内側面に対向し，内側面との間にタイトル用紙３が挿入できる間隔４を持ったタイトル用紙を保持する端部の突起５を設け、曲面２ａとの間の間隔４に、タイトル用紙３が挿入される。
【００１３】
タイトル用紙３は、端部で止まり、タイトル用紙を保持し、曲面に沿わせるのを助ける突起５と、タイトル用紙を保持する突起６とタイトル用紙の脱落を止める凸部７の間に保持される。
【００１４】
タイトル用紙３が曲面２ａに沿うことで、従来の背面の平坦な面に対して、傾斜して曲がることで面積が大きくなる。  ケースの厚さは変えないで、背面の形状を曲げて面積を大きくし、薄さと視認性を両立させた。
【００１５】
曲面２ａの形状を表面側から裏面側に回り込む手前まで、つまりカバーの表面との成す角度が９０°までの範囲にとどめ、金型からの取り出しが容易になるようにした。
【００１６】
図４，図５、図６、図７および図８に示すように、タイトル用紙を保持する突起６の下に、タイトル用紙の幅が端部と同じになるように、凸部９を設けた。これにより、タイトル用紙の形状が、単純な長方形で済むようになる。
【００１７】
トレイ１には変更を加えずに、カバー２の一部に変更を加えるだけで、視認性のよい、簡単にタイトル用紙の着脱、交換が出来るケースを生産することができる。
【００１８】
タイトル用紙の剛度が大きく、曲面２ａの曲率が大きすぎると、タイトル用紙３をカバー２に挿入するだけで、背面タイトル部が曲面２ａの内側面に密着しない場合がある。そのときには裏面からタイトル用紙を指などで押しつけることで簡単に密着させることができる。タイトル用紙が背面側に進み、タイトル用紙の脱落を止める凸部７にかかって保持される。
【００１９】
端部のタイトル用紙を保持する突起５をやや大きくし、タイトル用紙３の剛度をカバー2に挿入するのに支障のない範囲で小さくし、曲面２ａの曲率もできるだけ小さくすることで、裏側から押しつけなくても、挿入するだけで曲面２ａに密着してくれるようにすることも可能である。
【００２０】
タイトル用紙３の剛度が大きく、曲面２ａの曲率が大きくて、内側面に密着してくれない場合に、カバー２にタイトル用紙３をセットするには、図９に示すように、タイトル用紙３をタイトル用紙を保持する突起６の間を通し、端部の間隔４まで挿入し、曲面２ａの内側面と同じ断面形状を持つ補助部材１０を押しつけることで、タイトル用紙が背面側に進み、タイトル用紙の脱落を止める凸部７にかかって保持され、密着させることができる。
【００２１】
タイトル用紙を挿入する装置と、補助部材１０を往復させる装置、カバーを移動させていく装置を組み合わせることで、確実に、連続的に処理できる。
【実施例２】
【００２２】
実施例１では、タイトル用紙の幅が端部と同じになるように、凸部９を設けている。しかし、これを設けず、図１０に示すようにタイトル用紙の幅を端部のみ狭くすることで対応することも出来る。その際に、背面タイトル用紙の挿入時に引っかかりやすい上下の端部に滑らかな切れ込み１１を設けることも出来る。
【産業上の利用可能性】
【００２３】
現在、主に流通しているＣＤケースの厚さは約１０mmである。それに対して、薄型のケースは半分の５mm程度の厚さである。その５mm程度の幅に背面タイトル用紙を直接貼る場合、９ポイント程度の小さな文字しか使用できない。しかし、背面を傾斜させること、および曲面にすることで、１３ポイント程度の大きさの文字を十分使用できる。
【００２４】
タイトルが背面から十分視認できて商品価値が上がり、従来のケースとの置き換えが進めば、販売店では同じ面積に、２倍の商品を陳列できる。さらに、輸送、保管面でもコストダウンを図ることができる。
【００２５】
背面を曲面にすることで得られる視認性の向上は、薄型ケースだけでなく、従来の１０ｍｍ程度の厚さのケースに適用しても得られる効果である。
【００２６】
従来のケースでは部品点数が多く、タイトル用紙の入れ替えはトレイ内の部品をはずす必要があり、面倒な作業であったが、実施例１に示したように、タイトル用紙の入れ替えを簡単に行える利便性もある。
【図面の簡単な説明】
【００２７】
【図１】実施例１を説明する斜視図である。
【図２】実施例１の背面部分の断面図である。
【図３】実施例１の背面部分の斜視図である。
【図４】実施例１のカバー全体の断面図である。
【図５】実施例１のカバー全体の平面図である。
【図６】実施例１のタイトル用紙を保持する突起部分の斜視図である。
【図７】実施例１のタイトル用紙を保持する突起部分の平面図である。
【図８】実施例１のタイトル用紙を保持する突起部分の垂直方向の断面図である。
【図９】実施例１のタイトル用紙の挿入を説明する斜視図である。
【図１０】実施例２のタイトル用紙の平面図である。
【符号の説明】
【００２８】
１    トレイ
２    カバー
２ａ  凸状の曲面
３    背面タイトル用紙
４    背面タイトル用紙が差し込まれる間隔
５    背面タイトル用紙を保持する端部の突起
６  タイトル用紙を保持する突起
７  タイトル用紙の脱落を止める凸部
８  端部の突起５を形成するための金型が通る穴
９  タイトル用紙の幅を端部と同じにするための凸部
１０  背面タイトル用紙を押しつける時に使用する補助部材
１１  背面タイトル用紙の切れ込み
【図１】
0003127601.tif 000003
【図２】
0003127601.tif 000004
【図３】
0003127601.tif 000005
【図４】
0003127601.tif 000006
【図５】
0003127601.tif 000007
【図６】
0003127601.tif 000008
【図７】
0003127601.tif 000009
【図８】
0003127601.tif 000010
【図９】
0003127601.tif 000011
【図１０】
0003127601.tif 000012